(57)【要約】【課題】２本の機械式キーを収容可能な電子キーシステム用携帯機を提供する。【解決手段】携帯機１０Ａは、第１機械式キー７０を収容する第１機械式キー収容部１１０と、第２機械式キー７２を収容する第２機械式キー収容部１１４とを有する。この場合、第１機械式キー収容部１１０と第２機械式キー収容部１１４とは、矢印Ｘ方向に沿ってそれぞれ形成されている。そのため、第１機械式キー７０を第１機械式キー収容部１１０に収容すると共に、第２機械式キー７２を第２機械式キー収容部１１４に収容すれば、第１機械式キー７０及び第２機械式キー７２は、互いに平行に携帯機１０Ａ内に配置される。【選択図】図２
2015124485.tif 000002
【特許請求の範囲】
【請求項１】
電子キーシステム（１２）の受信装置（６８）に向けて、ＩＤ信号を送信する送信装置（８２）を備えると共に、機械式キー（７０、７２）を収容可能な電子キーシステム用携帯機（１０Ａ〜１０Ｃ）において、
前記電子キーシステム用携帯機（１０Ａ〜１０Ｃ）は、
板状の形状を有すると共に、
第１機械式キー（７０）を収容する第１機械式キー収容部（１１０）と、
第２機械式キー（７２）を収容する第２機械式キー収容部（１１４）と、
を有し、
前記第１機械式キー（７０）及び前記第２機械式キー（７２）は、前記電子キーシステム用携帯機（１０Ａ〜１０Ｃ）の板厚方向視で、各キー部（７０ｂ、７２ｂ）が重ならないように、前記第１機械式キー収容部（１１０）及び前記第２機械式キー収容部（１１４）にそれぞれ収容される
ことを特徴とする電子キーシステム用携帯機（１０Ａ〜１０Ｃ）。
【請求項２】
請求項１記載の電子キーシステム用携帯機（１０Ａ〜１０Ｃ）において、
前記第１機械式キー収容部（１１０）は、所定の第１方向に延びるキー部（７０ｂ）を備えた前記第１機械式キー（７０）を収容し、
前記第２機械式キー収容部（１１４）は、所定の第２方向に延びるキー部（７２ｂ）を備えた前記第２機械式キー（７２）を、前記第１機械式キー収容部（１１０）に収容された前記第１機械式キー（７０）と平行となるように収容する
ことを特徴とする電子キーシステム用携帯機（１０Ａ〜１０Ｃ）。
【請求項３】
電子キーシステム（１２）の受信装置（６８）に向けて、ＩＤ信号を送信する送信装置（８２）を備えると共に、機械式キー（７０、７２）を収容可能な電子キーシステム用携帯機（１０Ａ〜１０Ｃ）において、
前記電子キーシステム用携帯機（１０Ａ〜１０Ｃ）は、
所定の第１方向に延びるキー部（７０ｂ）を備えた第１機械式キー（７０）を収容する第１機械式キー収容部（１１０）と、
所定の第２方向に延びるキー部（７２ｂ）を備えた第２機械式キー（７２）を、前記第１機械式キー収容部（１１０）に収容された前記第１機械式キー（７０）と平行となるように収容する第２機械式キー収容部（１１４）と、
を有する
ことを特徴とする電子キーシステム用携帯機（１０Ａ〜１０Ｃ）。
【請求項４】
請求項３記載の電子キーシステム用携帯機（１０Ａ〜１０Ｃ）において、
前記電子キーシステム用携帯機（１０Ａ〜１０Ｃ）は、板状の形状を有し、
前記第１機械式キー（７０）及び前記第２機械式キー（７２）は、前記電子キーシステム用携帯機（１０Ａ〜１０Ｃ）の板厚方向視で、各キー部（７０ｂ、７２ｂ）が重ならないように、前記第１機械式キー収容部（１１０）及び前記第２機械式キー収容部（１１４）にそれぞれ収容される
ことを特徴とする電子キーシステム用携帯機（１０Ａ〜１０Ｃ）。
【請求項５】
請求項１、２、４のいずれか１項に記載の電子キーシステム用携帯機（１０Ａ〜１０Ｃ）において、
前記電子キーシステム用携帯機（１０Ａ〜１０Ｃ）の板厚方向に対して直交方向から見たときに、前記第１機械式キー（７０）及び前記第２機械式キー（７２）は、前記板厚方向に沿った平面において、少なくとも一部同士が重なるように前記第１機械式キー収容部（１１０）及び前記第２機械式キー収容部（１１４）にそれぞれ収容される
ことを特徴とする電子キーシステム用携帯機（１０Ａ〜１０Ｃ）。
【請求項６】
請求項１、２、４、５のいずれか１項に記載の電子キーシステム用携帯機（１０Ａ〜１０Ｃ）において、
前記電子キーシステム用携帯機（１０Ａ〜１０Ｃ）は、板状のバッテリ（８０）を当該電子キーシステム用携帯機（１０Ａ〜１０Ｃ）の板厚方向と前記バッテリ（８０）の板厚方向とが一致するように収容し、
前記第１機械式キー（７０）は、所定の第１方向に延びる板形状のキー部（７０ｂ）を備えると共に、当該キー部（７０ｂ）の板厚方向が前記電子キーシステム用携帯機（１０Ａ〜１０Ｃ）の板厚方向に対して直角となるように前記第１機械式キー収容部（１１０）に収容され、
前記バッテリ（８０）は、前記電子キーシステム用携帯機（１０Ａ〜１０Ｃ）の板厚方向視で、前記第１機械式キー収容部（１１０）の長さの範囲内に配置される一方で、前記第１機械式キー（７０）と重ならない位置にずらして配置され、
前記第２機械式キー（７２）は、前記電子キーシステム用携帯機（１０Ａ〜１０Ｃ）の板厚方向視で、前記バッテリ（８０）と重なる位置に設けられた前記第２機械式キー収容部（１１４）に収容され、
前記バッテリ（８０）及び前記第２機械式キー（７２）のうち少なくとも一方は、前記第１機械式キー（７０）の板厚方向視で、前記第１機械式キー（７０）と重なるように配置される
ことを特徴とする電子キーシステム用携帯機（１０Ａ〜１０Ｃ）。
【請求項７】
請求項６記載の電子キーシステム用携帯機（１０Ａ〜１０Ｃ）において、
前記第２機械式キー（７２）のキー部（７２ｂ）は、板形状であると共に、当該キー部（７２ｂ）の板厚方向が前記バッテリ（８０）の板厚方向と一致する
ことを特徴とする電子キーシステム用携帯機（１０Ａ〜１０Ｃ）。
【請求項８】
請求項６又は７記載の電子キーシステム用携帯機（１０Ａ〜１０Ｃ）において、
前記バッテリ（８０）の少なくとも一部及び前記第２機械式キー（７２）の少なくとも一部の両方は、前記第１機械式キー（７０）のキー部（７０ｂ）の板厚方向視で、前記第１機械式キー（７０）と重なる
ことを特徴とする電子キーシステム用携帯機（１０Ａ〜１０Ｃ）。
【請求項９】
請求項６〜８のいずれか１項に記載の電子キーシステム用携帯機（１０Ａ〜１０Ｃ）において、
前記電子キーシステム用携帯機（１０Ａ〜１０Ｃ）は、当該電子キーシステム用携帯機（１０Ａ〜１０Ｃ）の板厚方向視で、前記第１機械式キー収容部（１１０）に収容された前記第１機械式キー（７０）のキー部（７０ｂ）が延びる方向に沿って、前記バッテリ（８０）と並ぶように、前記送信装置（８２）としてのアンテナを収容し、
前記バッテリ（８０）の一部及び前記アンテナ（８２）の一部のうち少なくとも一方は、前記第１機械式キー収容部（１１０）の長さの範囲内に配置され、
前記第２機械式キー（７２）は、前記第１機械式キー（７０）よりも短い長さに設定されると共に、前記電子キーシステム用携帯機（１０Ａ〜１０Ｃ）の前記バッテリ（８０）側に配置される
ことを特徴とする電子キーシステム用携帯機（１０Ａ〜１０Ｃ）。
【請求項１０】
請求項１〜９のいずれか１項に記載の電子キーシステム用携帯機（１０Ａ、１０Ｂ）において、
前記第１機械式キー（７０）は、前記電子キーシステム用携帯機（１０Ａ、１０Ｂ）から前記第１機械式キー（７０）のキー部（７０ｂ）を突出させることにより、前記電子キーシステム用携帯機（１０Ａ、１０Ｂ）から分離することなく使用可能となるように設定され、
前記第２機械式キー（７２）は、前記電子キーシステム用携帯機（１０Ａ、１０Ｂ）から分離することで使用可能となるように設定される
ことを特徴とする電子キーシステム用携帯機（１０Ａ、１０Ｂ）。
【請求項１１】
請求項１０記載の電子キーシステム用携帯機（１０Ａ、１０Ｂ）において、
前記第１機械式キー（７０）は、所定の第１方向に延びるキー部（７０ｂ）を備え、
前記第２機械式キー（７２）は、所定の第２方向に延びるキー部（７２ｂ）を備え、
前記第１機械式キー（７０）のキー部（７０ｂ）は、前記第２機械式キー（７２）のキー部（７２ｂ）よりも長く設定され、
前記第１機械式キー（７０）は、前記電子キーシステム用携帯機（１０Ａ、１０Ｂ）から分離しなくても使用可能である
ことを特徴とする電子キーシステム用携帯機（１０Ａ、１０Ｂ）。
【請求項１２】
請求項１〜１１のいずれか１項に記載の電子キーシステム用携帯機（１０Ａ）において、
前記第２機械式キー収容部（１１４）は、所定の方向に延びるキー部（７２ｂ）を備えた前記第２機械式キー（７２）を収容し、
前記第１機械式キー（７０）は、前記電子キーシステム用携帯機（１０Ａ）に対して回動することによって、当該電子キーシステム用携帯機（１０Ａ）に対する出し入れを行い、
前記第２機械式キー（７２）は、前記電子キーシステム用携帯機（１０Ａ）に対して前記所定の方向にスライドすることによって、当該電子キーシステム用携帯機（１０Ａ）に対する出し入れを行う
ことを特徴とする電子キーシステム用携帯機（１０Ａ）。
【請求項１３】
請求項１〜９のいずれか１項に記載の電子キーシステム用携帯機（１０Ｃ）において、
前記電子キーシステム用携帯機（１０Ｃ）は、
板状の形状を有すると共に、
所定の第１方向に延びるキー部（７０ｂ）を備えた前記第１機械式キー（７０）と、所定の第２方向に延びるキー部（７２ｂ）を備えた前記第２機械式キー（７２）とを、前記電子キーシステム用携帯機（１０Ｃ）の板厚方向に対して直交方向に、それぞれ着脱可能に収容し、
前記第１機械式キー（７０）は、当該第１機械式キー（７０）のキー部（７０ｂ）の板厚方向が、前記電子キーシステム用携帯機（１０Ｃ）の板厚方向と直交するように、前記電子キーシステム用携帯機（１０Ｃ）に差し込まれ、
前記第２機械式キー（７２）は、当該第２機械式キー（７２）のキー部（７２ｂ）の板厚方向が、前記電子キーシステム用携帯機（１０Ｃ）の板厚方向と一致するように、前記電子キーシステム用携帯機（１０Ｃ）に差し込まれる
ことを特徴とする電子キーシステム用携帯機（１０Ｃ）。
【請求項１４】
請求項１〜９のいずれか１項に記載の電子キーシステム用携帯機（１０Ｃ）において、
前記電子キーシステム用携帯機（１０Ｃ）は、
所定の第１方向に延びるキー部（７０ｂ）を備えた前記第１機械式キー（７０）を収容する前記第１機械式キー収容部（１１０）と、
所定の第２方向に延びるキー部（７２ｂ）を備えた前記第２機械式キー（７２）を、前記第１機械式キー収容部（１１０）に収容された前記第１機械式キー（７０）と平行となるように収容する前記第２機械式キー収容部（１１４）と、
を有し、
前記第１機械式キー（７０）及び前記第２機械式キー（７２）には、それぞれ、キー部（７０ｂ、７２ｂ）の先端部に当該キー部（７０ｂ、７２ｂ）の断面積よりも大きな把持部（７０ａ、７２ａ）が備わり、
前記第１機械式キー（７０）及び前記第２機械式キー（７２）は、それぞれ、キー部（７０ｂ、７２ｂ）が延びる方向に沿って、前記電子キーシステム用携帯機（１０Ｃ）から互い違いの方向に抜き取られることにより、前記電子キーシステム用携帯機（１０Ｃ）から着脱可能に取り出し可能である
ことを特徴とする電子キーシステム用携帯機（１０Ｃ）。
【請求項１５】
請求項１〜１４のいずれか１項に記載の電子キーシステム用携帯機（１０Ａ〜１０Ｃ）において、
前記電子キーシステム用携帯機（１０Ａ〜１０Ｃ）は、中心軸（７４）に対して左右略対称の形状を有し、
前記第１機械式キー収容部（１１０）は、所定の第１方向に延びるキー部（７０ｂ）を備えた前記第１機械式キー（７０）を収容し、
前記第２機械式キー収容部（１１４）は、所定の第２方向に延びるキー部（７２ｂ）を備えた前記第２機械式キー（７２）を収容し、
前記第２機械式キー収容部（１１４）は、前記中心軸（７４）寄りに配置され、
前記第１機械式キー収容部（１１０）は、前記中心軸（７４）から前記第２機械式キー収容部（１１４）までの距離（ｍ）よりも、前記中心軸（７４）から前記第１機械式キー収容部（１１０）までの距離（ｎ）が長くなるように、前記電子キーシステム用携帯機（１０Ａ〜１０Ｃ）の側部に配置される
ことを特徴とする電子キーシステム用携帯機（１０Ａ〜１０Ｃ）。
【発明の詳細な説明】
【技術分野】
【０００１】
本発明は、電子キーシステムの受信装置に向けてＩＤ信号を送信する送信装置を備えると共に、機械式キーを収容可能な電子キーシステム用携帯機に関する。
【背景技術】
【０００２】
例えば、特許文献１には、電子キーシステムの携帯機であるＦＯＢキーに、機械式キーを内蔵する構造が開示されている。
【先行技術文献】
【特許文献】
【０００３】
【特許文献１】特開２００４−３５３４０４号公報
【発明の概要】
【発明が解決しようとする課題】
【０００４】
ところで、２本の機械式キーを必要とする車両の場合、これら２本のキーをＦＯＢキー内に配置したいものである。しかしながら、特許文献１を含め、従来の技術には、ＦＯＢキー内に２本の機械式キーを内蔵するような携帯機が存在しない。そのため、２本の機械式キーを携帯機に好適に配置する手法の構築が望まれている。
【０００５】
そこで、本発明は、２本の機械式キーを収容可能な電子キーシステム用携帯機を提供することを目的とする。
【課題を解決するための手段】
【０００６】
本発明に係る電子キーシステム用携帯機（１０Ａ〜１０Ｃ）は、電子キーシステム（１２）の受信装置（６８）に向けて、ＩＤ信号を送信する送信装置（８２）を備えると共に、機械式キー（７０、７２）を収容可能な携帯機であって、以下の特徴を有する。
【０００７】
第１の特徴；前記電子キーシステム用携帯機（１０Ａ〜１０Ｃ）は、板状の形状を有すると共に、第１機械式キー（７０）を収容する第１機械式キー収容部（１１０）と、第２機械式キー（７２）を収容する第２機械式キー収容部（１１４）とを有する。前記第１機械式キー（７０）及び前記第２機械式キー（７２）は、前記電子キーシステム用携帯機（１０Ａ〜１０Ｃ）の板厚方向視で、各キー部（７０ｂ、７２ｂ）が重ならないように、前記第１機械式キー収容部（１１０）及び前記第２機械式キー収容部（１１４）にそれぞれ収容される。
【０００８】
第２の特徴；前記第１機械式キー収容部（１１０）は、所定の第１方向に延びるキー部（７０ｂ）を備えた前記第１機械式キー（７０）を収容し、前記第２機械式キー収容部（１１４）は、所定の第２方向に延びるキー部（７２ｂ）を備えた前記第２機械式キー（７２）を、前記第１機械式キー収容部（１１０）に収容された前記第１機械式キー（７０）と平行となるように収容する。
【０００９】
第３の特徴；前記電子キーシステム用携帯機（１０Ａ〜１０Ｃ）は、所定の第１方向に延びるキー部（７０ｂ）を備えた第１機械式キー（７０）を収容する第１機械式キー収容部（１１０）と、所定の第２方向に延びるキー部（７２ｂ）を備えた第２機械式キー（７２）を前記第１機械式キー収容部（１１０）に収容された前記第１機械式キー（７０）と平行となるように収容する第２機械式キー収容部（１１４）とを有する。
【００１０】
第４の特徴；前記電子キーシステム用携帯機（１０Ａ〜１０Ｃ）は、板状の形状を有し、前記第１機械式キー（７０）及び前記第２機械式キー（７２）は、前記電子キーシステム用携帯機（１０Ａ〜１０Ｃ）の板厚方向視で、各キー部（７０ｂ、７２ｂ）が重ならないように、前記第１機械式キー収容部（１１０）及び前記第２機械式キー収容部（１１４）にそれぞれ収容される。
【００１１】
第５の特徴；前記電子キーシステム用携帯機（１０Ａ〜１０Ｃ）の板厚方向に対して直交方向から見たときに、前記第１機械式キー（７０）及び前記第２機械式キー（７２）は、前記板厚方向に沿った平面において、少なくとも一部同士が重なるように前記第１機械式キー収容部（１１０）及び前記第２機械式キー収容部（１１４）にそれぞれ収容される。
【００１２】
第６の特徴；前記電子キーシステム用携帯機（１０Ａ〜１０Ｃ）は、板状のバッテリ（８０）を当該電子キーシステム用携帯機（１０Ａ〜１０Ｃ）の板厚方向と前記バッテリ（８０）の板厚方向とが一致するように収容する。前記第１機械式キー（７０）は、所定の第１方向に延びる板形状のキー部（７０ｂ）を備えると共に、当該キー部（７０ｂ）の板厚方向が前記電子キーシステム用携帯機（１０Ａ〜１０Ｃ）の板厚方向に対して直角となるように前記第１機械式キー収容部（１１０）に収容される。前記バッテリ（８０）は、前記電子キーシステム用携帯機（１０Ａ〜１０Ｃ）の板厚方向視で、前記第１機械式キー収容部（１１０）の長さの範囲内に配置される一方で、前記第１機械式キー（７０）と重ならない位置にずらして配置される。前記第２機械式キー（７２）は、前記電子キーシステム用携帯機（１０Ａ〜１０Ｃ）の板厚方向視で、前記バッテリ（８０）と重なる位置に設けられた前記第２機械式キー収容部（１１４）に収容される。前記バッテリ（８０）及び前記第２機械式キー（７２）のうち少なくとも一方は、前記第１機械式キー（７０）の板厚方向視で、前記第１機械式キー（７０）と重なるように配置される。
【００１３】
第７の特徴；前記第２機械式キー（７２）のキー部（７２ｂ）は、板形状であると共に、当該キー部（７２ｂ）の板厚方向が前記バッテリ（８０）の板厚方向と一致する。
【００１４】
第８の特徴；前記バッテリ（８０）の少なくとも一部及び前記第２機械式キー（７２）の少なくとも一部の両方は、前記第１機械式キー（７０）のキー部（７０ｂ）の板厚方向視で、前記第１機械式キー（７０）と重なる。
【００１５】
第９の特徴；前記電子キーシステム用携帯機（１０Ａ〜１０Ｃ）は、当該電子キーシステム用携帯機（１０Ａ〜１０Ｃ）の板厚方向視で、前記第１機械式キー収容部（１１０）に収容された前記第１機械式キー（７０）のキー部（７０ｂ）が延びる方向に沿って、前記バッテリ（８０）と並ぶように、前記送信装置（８２）としてのアンテナを収容する。前記バッテリ（８０）の一部及び前記アンテナ（８２）の一部のうち少なくとも一方は、前記第１機械式キー収容部（１１０）の長さの範囲内に配置される。前記第２機械式キー（７２）は、前記第１機械式キー（７０）よりも短い長さに設定されると共に、前記電子キーシステム用携帯機（１０Ａ〜１０Ｃ）の前記バッテリ（８０）側に配置される。
【００１６】
第１０の特徴；前記第１機械式キー（７０）は、前記電子キーシステム用携帯機（１０Ａ、１０Ｂ）から前記第１機械式キー（７０）のキー部（７０ｂ）を突出させることにより、前記電子キーシステム用携帯機（１０Ａ、１０Ｂ）から分離することなく使用可能となるように設定される。前記第２機械式キー（７２）は、前記電子キーシステム用携帯機（１０Ａ、１０Ｂ）から分離することで使用可能となるように設定される。
【００１７】
第１１の特徴；前記第１機械式キー（７０）は、所定の第１方向に延びるキー部（７０ｂ）を備え、前記第２機械式キー（７２）は、所定の第２方向に延びるキー部（７２ｂ）を備え、前記第１機械式キー（７０）のキー部（７０ｂ）は、前記第２機械式キー（７２）のキー部（７２ｂ）よりも長く設定され、前記第１機械式キー（７０）は、前記電子キーシステム用携帯機（１０Ａ、１０Ｂ）から分離しなくても使用可能である。
【００１８】
第１２の特徴；前記第２機械式キー収容部（１１４）は、所定の方向に延びるキー部（７２ｂ）を備えた前記第２機械式キー（７２）を収容し、前記第１機械式キー（７０）は、前記電子キーシステム用携帯機（１０Ａ）に対して回動することによって、当該電子キーシステム用携帯機（１０Ａ）に対する出し入れを行う。前記第２機械式キー（７２）は、前記電子キーシステム用携帯機（１０Ａ）に対して前記所定の方向にスライドすることによって、当該電子キーシステム用携帯機（１０Ａ）に対する出し入れを行う。
【００１９】
第１３の特徴；前記電子キーシステム用携帯機（１０Ｃ）は、板状の形状を有すると共に、所定の第１方向に延びるキー部（７０ｂ）を備えた前記第１機械式キー（７０）と、所定の第２方向に延びるキー部（７２ｂ）を備えた前記第２機械式キー（７２）とを、前記電子キーシステム用携帯機（１０Ｃ）の板厚方向に対して直交方向に、それぞれ着脱可能に収容する。前記第１機械式キー（７０）は、当該第１機械式キー（７０）のキー部（７０ｂ）の板厚方向が、前記電子キーシステム用携帯機（１０Ｃ）の板厚方向と直交するように、前記電子キーシステム用携帯機（１０Ｃ）に差し込まれる。前記第２機械式キー（７２）は、当該第２機械式キー（７２）のキー部（７２ｂ）の板厚方向が、前記電子キーシステム用携帯機（１０Ｃ）の板厚方向と一致するように、前記電子キーシステム用携帯機（１０Ｃ）に差し込まれる。
【００２０】
第１４の特徴；前記電子キーシステム用携帯機（１０Ｃ）は、所定の第１方向に延びるキー部（７０ｂ）を備えた前記第１機械式キー（７０）を収容する前記第１機械式キー収容部（１１０）と、所定の第２方向に延びるキー部（７２ｂ）を備えた前記第２機械式キー（７２）を、前記第１機械式キー収容部（１１０）に収容された前記第１機械式キー（７０）と平行となるように収容する前記第２機械式キー収容部（１１４）とを有する。前記第１機械式キー（７０）及び前記第２機械式キー（７２）には、それぞれ、キー部（７０ｂ、７２ｂ）の先端部に当該キー部（７０ｂ、７２ｂ）の断面積よりも大きな把持部（７０ａ、７２ａ）が備わる。前記第１機械式キー（７０）及び前記第２機械式キー（７２）は、それぞれ、キー部（７０ｂ、７２ｂ）が延びる方向に沿って、前記電子キーシステム用携帯機（１０Ｃ）から互い違いの方向に抜き取られることにより、前記電子キーシステム用携帯機（１０Ｃ）から着脱可能に取り出し可能である。
【００２１】
第１５の特徴；前記電子キーシステム用携帯機（１０Ａ〜１０Ｃ）は、中心軸（７４）に対して左右略対称の形状を有し、前記第１機械式キー収容部（１１０）は、所定の第１方向に延びるキー部（７０ｂ）を備えた前記第１機械式キー（７０）を収容し、前記第２機械式キー収容部（１１４）は、所定の第２方向に延びるキー部（７２ｂ）を備えた前記第２機械式キー（７２）を収容する。前記第２機械式キー収容部（１１４）は、前記中心軸（７４）寄りに配置される。前記第１機械式キー収容部（１１０）は、前記中心軸（７４）から前記第２機械式キー収容部（１１４）までの距離（ｍ）よりも、前記中心軸（７４）から前記第１機械式キー収容部（１１０）までの距離（ｎ）が長くなるように、前記電子キーシステム用携帯機（１０Ａ〜１０Ｃ）の側部に配置される。
【発明の効果】
【００２２】
本発明の第１の特徴によれば、板状の電子キーシステム用携帯機の中に、２本の機械式キーを収容するにあたり、電子キーシステム用携帯機の板厚方向視で、キー部同士が重ならないように、２本の機械式キーを電子キーシステム用携帯機の中に配置したので、当該電子キーシステム用携帯機の板厚を抑えることができる。
【００２３】
本発明の第２の特徴によれば、第１機械式キー収容部及び第２機械式キー収容部は、第１機械式キー及び第２機械式キーが互いに平行となるように、第１機械式キー及び第２機械式キーをそれぞれ収容するので、電子キーシステム用携帯機自体の大きさを、必要以上に大きくすることを抑えることができる。
【００２４】
本発明の第３の特徴によれば、電子キーシステム用携帯機の中に、２本の機械式キーを収容するにあたり、当該２本の機械式キーを平行に収容するので、電子キーシステム用携帯機自体の大きさを、必要以上に大きくすることを抑えることができる。
【００２５】
本発明の第４の特徴によれば、電子キーシステム用携帯機の板厚方向視で、キー部同士が重ならないように、２本の機械式キーを電子キーシステム用携帯機の中に配置したので、当該電子キーシステム用携帯機の板厚を抑えることができる。
【００２６】
本発明の第５の特徴によれば、電子キーシステム用携帯機の板厚方向に対して直交方向から見たときに、当該板厚方向に沿った平面において、２本の機械式キーの少なくとも一部同士が重なるように電子キーシステム用携帯機に収容されているので、当該電子キーシステム用携帯機の板厚をさらに抑えることができる。
【００２７】
本発明の第６の特徴によれば、電子キーシステム用携帯機をコンパクトにすることができる。
【００２８】
本発明の第７の特徴によれば、第２機械式キーのキー部の板厚方向とバッテリの板厚方向とを一致させることにより、電子キーシステム用携帯機の板厚をさらに薄くすることができる。
【００２９】
本発明の第８の特徴によれば、電子キーシステム用携帯機を板厚方向にさらにコンパクトにすることができる。
【００３０】
本発明の第９の特徴によれば、第１機械式キーよりも短い第２機械式キーを、電子キーシステム用携帯機のバッテリ側に配置したので、アンテナの感度を、バッテリや第２機械式キーによって妨げられることなく、良好に保つことができる。
【００３１】
本発明の第１０の特徴によれば、電子キーシステム用携帯機に対する２本の機械式キーの出し入れ方法について、一方の機械式キーを着脱不要とし、他方の機械式キーを着脱要としたので、使用の際に、目視しなくても、どちらの機械式キーであるのかが確認しやすくなる。
【００３２】
本発明の第１１の特徴によれば、電子キーシステム用携帯機のボディを第１機械式キーの把持部として利用できるので、キー部が長く且つ操作力が必要となる第１機械式キーに対して、力をかけやすくすることができる。
【００３３】
本発明の第１２の特徴によれば、電子キーシステム用携帯機に対する２本の機械式キーの出し入れ方法について、一方の機械式キーを回動方式とし、他方の機械式キーを直動方式としたことで、出し入れの際に、目視しなくても、どちらの機械式キーであるのかが確認しやすくなる。
【００３４】
本発明の第１３の特徴によれば、２本の機械式キーの板状のキー部の板厚方向を、板状の電子キーシステム用携帯機に対して、同じ向きにするものと、違う向きにするものとに分けたので、目視しなくても、どちらの機械式キーであるのかが確認しやすくなる。
【００３５】
本発明の第１４の特徴によれば、第１機械式キー及び前記第２機械式キーの把持部を、電子キーシステム用携帯機において、互いに反対側に配置したので、各把持部を大きくすることができる。
【００３６】
本発明の第１５の特徴によれば、電子キーシステム用携帯機に対する２本の機械式キーの出し入れ方法について、一方の機械式キーを電子キーシステム用携帯機の中央部から出し入れし、他方の機械式キーを電子キーシステム用携帯機の側部から出し入れしたので、出し入れの際に、目視しなくても、どちらの機械式キーであるのかが確認しやすくなる。
【図面の簡単な説明】
【００３７】
【図１】第１実施形態に係る携帯機を含む電子キーシステムが適用される自動二輪車の外観左側面図である。
【図２】図１の携帯機の正面図である。
【図３】図２の携帯機の背面図である。
【図４】図４Ａは、図２の携帯機の左側面図であり、図４Ｂは、図２の携帯機の右側面図である。
【図５】図２の携帯機について、第２機械式キーの挿入方向から見た側面図である。
【図６】図２のＶＩ−ＶＩ線に沿った断面図である。
【図７】図２のＶＩＩ−ＶＩＩ線に沿った断面図である。
【図８】図２のＶＩＩＩ−ＶＩＩＩ線に沿った断面図である。
【図９】第２実施形態に係る携帯機の正面図である。
【図１０】図９の携帯機の左側面図である。
【図１１】第３実施形態に係る携帯機の正面図である。
【図１２】図１２Ａは、図１１の携帯機の左側面図であり、図１２Ｂは、図１１の携帯機の右側面図である。
【発明を実施するための形態】
【００３８】
本発明に係る電子キーシステム用携帯機について、好適な実施形態を掲げ、添付の図面を参照しながら、以下詳細に説明する。
【００３９】
図１は、第１実施形態に係る電子キーシステム用携帯機１０Ａを含めた電子キーシステム１２が適用される自動二輪車１４の外観左側面図である。なお、特に説明しない限り、自動二輪車１４に着座した運転手から見た方向を基準に、自動二輪車１４の前後、左右及び上下の方向を説明する。また、以下の説明では、電子キーシステム用携帯機１０Ａを、単に、携帯機１０Ａともいう。
【００４０】
自動二輪車１４の車体フレーム１６は、ヘッドパイプ１８と、ヘッドパイプ１８から後下方に延びるメインフレーム２０と、メインフレーム２０の後部付近から後上方に延びるシートフレーム２２とを有する。ヘッドパイプ１８は、操舵輪としての前輪ＷＦを回転可能に支持するフロントフォーク２４を回転可能に軸支する。フロントフォーク２４の上部には、ハンドルバー２６が取り付けられ、ハンドルバー２６によって前輪ＷＦを操舵することができる。
【００４１】
メインフレーム２０の下部には、クランク軸２８を車幅方向に向けて配置したＶ型４気筒型のエンジン３０とトランスミッション３２とを有するパワーユニット３４が取り付けられている。このエンジン３０の主軸であるクランク軸２８から出力される動力は、トランスミッション３２を介して駆動輪としての後輪ＷＲに伝達される。
【００４２】
メインフレーム２０の後部下部には、後輪ＷＲを回転可能に軸支するスイングアーム３６が揺動可能に支持されている。トランスミッション３２を介して出力されるエンジン３０の駆動力は、ドライブチェーン３８を介して駆動輪としての後輪ＷＲに伝達される。このスイングアーム３６は、リアショックユニット４０によって、メインフレーム２０の後部上部に吊り下げられている。メインフレーム２０の後部下端部には、停車時に車体を支持するサイドスタンド４２が取り付けられている。
【００４３】
メインフレーム２０の上部には、燃料タンク４４及びエアクリーナボックス４６が設けられている。エンジン３０の前シリンダ４８からの排気ガスは、前排気管５０を介して膨張室５２に送られる。エンジン３０の後シリンダ５４からの排気ガスは、後排気管５６を介して膨張室５２に送られる。膨張室５２に送られた排気ガスは、マフラー５８を介して車体後方へ排出される。
【００４４】
シートフレーム２２の上方には、運転者が着座するシート６０が設けられている。ヘッドパイプ１８の前方には、車体前方を覆うフロントカウル６２が設けられ、シートフレーム２２の側部及び後方には、車体の側方及び後方を覆うリアカウル６４が設けられている。
【００４５】
シート６０直下のシートフレーム２２近傍には、自動二輪車１４のエンジン３０等を制御するＥＣＵ６６と、携帯機１０Ａとの間で無線による信号の送受信が可能な送受信器６８とが配置されている。
【００４６】
次に、第１実施形態に係る携帯機１０Ａの構成について、図２〜図８を参照しながら説明する。
【００４７】
携帯機１０Ａは、第１機械式キー７０及び第２機械式キー７２の２本の機械式キーを収容可能に構成され、且つ、矢印Ｘ方向に沿った中心軸７４に対して左右方向である矢印Ｙ方向に略対称な直方形の板状形状を有するＦＯＢキーである。
【００４８】
第１機械式キー７０は、図１に示す燃料タンク４４のタンクキャップ７６に形成された孔に差し込んで回すことにより、燃料タンク４４からタンクキャップ７６を取り外すためのキーである。この場合、第１機械式キー７０は、運転者が把持可能な第１把持部７０ａと、該第１把持部７０ａから所定の第１方向に延在する棒状の第１キー部７０ｂとから構成される。また、図５に示すように、第１把持部７０ａの断面積は、第１キー部７０ｂの断面積よりも大きい。
【００４９】
なお、図２〜図４Ａ及び図５〜図８では、第１キー部７０ｂが鉄製且つ板状の形状であり、第１方向が矢印Ｘ方向であり、第１キー部７０ｂの板厚方向が矢印Ｙ方向である場合を図示している。また、第１キー部７０ｂには、図示しない凹凸や溝等が設けられている。
【００５０】
第２機械式キー７２は、ヘッドパイプ１８近傍に設けられ且つハンドルバー２６の操舵を不能とし得るハンドルロックモジュール７８のキーシリンダ錠に差し込んで回すことにより、ハンドルロックモジュール７８によってハンドルバー２６をロック状態にしたり、あるいは、ロック状態を解除させるためのキーである。この場合、第２機械式キー７２は、第１機械式キー７０よりも短い長さに設定され、運転者が把持可能な第２把持部７２ａと、該第２把持部７２ａから所定の第２方向に延在する棒状の第２キー部７２ｂとから構成される。また、図５に示すように、第２把持部７２ａの断面積は、第２キー部７２ｂの断面積よりも大きい。
【００５１】
なお、図２、図３、図６及び図７では、第２機械式キー７２が略Ｌ字状に形成され、第２キー部７２ｂが鉄製且つ板状の形状であると共に、第２方向が矢印Ｘ方向であり、且つ、第２キー部７２ｂの板厚方向が矢印Ｚ方向である場合を図示している。また、第２キー部７２ｂにも、図示しない凹凸や溝等が設けられている。
【００５２】
また、携帯機１０Ａは、当該携帯機１０Ａの電源である板状のバッテリ８０と、板状のアンテナ８２とを内部に収容している。この場合、携帯機１０Ａの矢印Ｚ１方向側の表面に装着された押しボタン式の電源ボタン８４を運転者が操作すると、バッテリ８０からアンテナ８２等への電力供給が可能となる。なお、バッテリ８０、アンテナ８２及び電源ボタン８４は、中心軸７４に沿って配置されている。
【００５３】
ここで、携帯機１０Ａの内部構造について、具体的に説明する。
【００５４】
携帯機１０Ａにおいて、電源ボタン８４は、図７に示すように、表面側樹脂ケース８６に形成された開口８８を閉塞するように、該表面側樹脂ケース８６に取り付けられている。この場合、矢印Ｚ１方向側の表面側樹脂ケース８６と、矢印Ｚ２方向側の背面側樹脂ケース９０とを嵌合させることにより、矢印Ｘ方向に沿った断面略矩形状の内部空間９２が形成される。
【００５５】
表面側樹脂ケース８６の表面のうち、矢印Ｙ２方向側の側部及び電源ボタン８４近傍以外の部分は、カーボン製の化粧カバー９４で覆われ、背面側樹脂ケース９０の表面のうち、矢印Ｙ２方向側の側部及び第２機械式キー７２の挿入口以外の部分は、カーボン製の化粧カバー９６で覆われている。
【００５６】
なお、化粧カバー９６の矢印Ｙ１方向の側部には、図示しないコイン等を差し込み可能な挿入口９７が設けられている。この場合、コイン等を差し込み、捻ることにより、表面側樹脂ケース８６と背面側樹脂ケース９０との嵌合状態を解除して、携帯機１０Ａの内部を開けることができる。
【００５７】
また、表面側樹脂ケース８６と背面側樹脂ケース９０との嵌合箇所は、防水性のシール部材９８によりシールされている。シール部材９８は、表面側樹脂ケース８６の内面に沿って装着され、表面側樹脂ケース８６の側部と背面側樹脂ケース９０の側部との嵌合箇所を内部空間９２側からシールしている。これにより、外部から嵌合箇所を介した内部空間９２への水等の浸入を阻止することができる。
【００５８】
内部空間９２には、バッテリ８０及びアンテナ８２を搭載した基板１００も収容されている。基板１００は、シール部材９８における表面側樹脂ケース８６の側部の箇所に設けられた凹部１０２に当該基板１００の両端部が嵌合することにより、矢印Ｘ方向及び矢印Ｙ方向に沿って配置される。これにより、バッテリ８０は、携帯機１０Ａの板厚方向とバッテリ８０の板厚方向とが矢印Ｚ方向で一致するように、基板１００の矢印Ｘ２方向側に搭載される。また、アンテナ８２は、携帯機１０Ａの板厚方向とアンテナ８２の板厚方向とが矢印Ｚ方向で一致するように、基板１００の矢印Ｘ１方向側に搭載される。
【００５９】
電源ボタン８４には、シール部材９８を押圧可能な押圧部１０４が設けられている。この場合、運転者が電源ボタン８４を押すと、表面側樹脂ケース８６における電源ボタン８４との取付箇所が電源ボタン８４と一体的に基板１００側に変位すると共に、押圧部１０４がシール部材９８を押圧して基板１００側に変位させる。シール部材９８には、基板１００側に突出する突出部１０６が形成されている。そのため、突出部１０６、又は、押圧部１０４によって変位したシール部材９８の箇所が、基板１００に設けられた図示しない接触センサに接触すると、当該接触センサが検出信号を出力し、バッテリ８０は、出力された検出信号に基づき、アンテナ８２等への電力供給を開始する。これにより、アンテナ８２と送受信器６８との間での無線による信号の送受信が可能な状態となる。
【００６０】
携帯機１０Ａの矢印Ｙ２方向の側部には、表面側樹脂ケース８６及び背面側樹脂ケース９０の矢印Ｙ２方向の各側部に固定されたアルミニウム製の収容ブロック１０８が設けられている。収容ブロック１０８には、第１機械式キー７０を収容可能な溝部である第１機械式キー収容部１１０が、矢印Ｘ２方向の側部から矢印Ｘ方向に沿って形成されている。
【００６１】
第１機械式キー収容部１１０は、第１把持部７０ａを収容する第１把持部収容溝１１０ａと、第１キー部７０ｂを収容する第１キー部収容溝１１０ｂとから構成される。第１把持部７０ａは、矢印Ｙ方向に延在する回転軸１１２によって、第１把持部収容溝１１０ａに収容された状態で、収容ブロック１０８に軸支されている。
【００６２】
この場合、第１機械式キー７０は、第１キー部７０ｂの長手方向である第１方向が矢印Ｘ方向となり、且つ、板厚方向が矢印Ｙ方向となるように、第１機械式キー収容部１１０に収容される。従って、第１把持部収容溝１１０ａの幅方向と第１把持部７０ａの板厚方向とが矢印Ｙ方向になると共に、第１キー部収容溝１１０ｂの幅方向と第１キー部７０ｂの板厚方向とが矢印Ｙ方向となる。この結果、第１キー部収容溝１１０ｂに収容された第１キー部７０ｂの板厚方向は、携帯機１０Ａの板厚方向である矢印Ｚ方向と直交することになる。
【００６３】
そのため、運転者が回転軸１１２を中心として第１キー部７０ｂを回動させることにより、携帯機１０Ａから第１機械式キー７０を分離させることなく、第１機械式キー収容部１１０に対して第１機械式キー７０を出し入れすることができる。この結果、運転者は、第１把持部収容溝１１０ａに収容された第１把持部７０ａを含む携帯機１０Ａを把持した状態で、携帯機１０Ａから矢印Ｘ２方向に突出した第１キー部７０ｂをタンクキャップ７６の孔に差し込んで回すことにより、燃料タンク４４からタンクキャップ７６を取り外すことができる。
【００６４】
一方、第２機械式キー７２は、背面側樹脂ケース９０の矢印Ｚ２方向の底面側と化粧カバー９６との間に形成された第２機械式キー収容部１１４に収容される。すなわち、第２機械式キー収容部１１４は、背面側樹脂ケース９０の矢印Ｘ２方向の側部に形成された段差部１１４ａと、段差部１１４ａから矢印Ｘ方向に向かって延在する凹部１１４ｂとから構成される。図２及び図３に示すように、第２機械式キー収容部１１４は、第２機械式キー７２の形状に合わせて形成され、凹部１１４ｂは、中心軸７４に沿って設けられる。
【００６５】
つまり、第２機械式キー収容部１１４において、凹部１１４ｂの高さ方向と第２キー部７２ｂの板厚方向とは矢印Ｚ方向であると共に、凹部１１４ｂの幅方向と第２キー部７２ｂの幅方向とは矢印Ｙ方向となる。また、第１機械式キー収容部１１０と、第２機械式キー収容部１１４とは、矢印Ｘ方向に沿って形成され、且つ、互いに平行に配置される。
【００６６】
従って、運転者が第２キー部７２ｂを矢印Ｘ１方向に向け、且つ、第２キー部７２ｂの板厚方向と携帯機１０Ａの板厚方向とを矢印Ｚ方向に一致させた状態で、第２キー部７２ｂを凹部１１４ｂに挿入することにより、当該凹部１１４ｂに第２キー部７２ｂが収容されると共に、第２把持部７２ａが段差部１１４ａに収容される。この場合、第２機械式キー７２は、第１機械式キー７０と平行に収容されることになる。一方、運転者が第２把持部７２ａを持って第２機械式キー７２を矢印Ｘ２方向にスライドさせると、携帯機１０Ａから第２機械式キー７２を取り出すことができる。
【００６７】
すなわち、運転者は、第２機械式キー収容部１１４に対して第２機械式キー７２を矢印Ｘ方向にスライドさせることにより、携帯機１０Ａから第２機械式キー７２を分離させるように、第２機械式キー収容部１１４に対して第２機械式キー７２を出し入れすることができる。
【００６８】
また、図２及び図３に示すように、携帯機１０Ａの板厚方向である矢印Ｚ方向に沿って見たときに、中心軸７４から矢印Ｙ２方向に距離ｎだけ離れた位置に形成された第１機械式キー収容部１１０に第１機械式キー７０が収容され、一方で、中心軸７４に沿って、第２機械式キー７２、バッテリ８０、アンテナ８２及び電源ボタン８４が配置されている。つまり、携帯機１０Ａでは、矢印Ｚ方向から見て、第２機械式キー７２、バッテリ８０、アンテナ８２及び電源ボタン８４と、第１機械式キー７０とが重ならないように、第１機械式キー７０から第２機械式キー７２、バッテリ８０、アンテナ８２及び電源ボタン８４をずらして配置している。なお、中心軸７４と第２機械式キー７２の第２キー部７２ｂとの距離をｍとすれば、携帯機１０Ａの場合、ｍ＝０である。
【００６９】
さらに、図７に示すように、携帯機１０Ａの板厚方向に直交し且つ第１機械式キー７０の板厚方向である矢印Ｙ方向に沿って見たときに、第２機械式キー７２と、バッテリ８０と、アンテナ８２の一部とは、第１機械式キー７０に対して、重なるように配置されている。すなわち、バッテリ８０及びアンテナ８２の一部は、第１機械式キー収容部１１０の矢印Ｘ方向に沿った長さの範囲内に配置されている。
【００７０】
そして、自動二輪車１４に適用される電子キーシステム１２においては、前述のように、運転者が電源ボタン８４を押してバッテリ８０からアンテナ８２への電力供給が開始された後、運転者が自動二輪車１４の図示しない操作子を操作するとＥＣＵ６６が起動し、送受信器６８から携帯機１０Ａに向けてＩＤ要求信号が送信される。アンテナ８２でＩＤ要求信号を受信した場合、携帯機１０Ａは、送信装置として機能して、自己を特定するＩＤ信号を無線により送受信器６８に送信する。ＥＣＵ６６は、受信装置として機能する送受信器６８がＩＤ信号を受信したときに、受信したＩＤ信号と、図示しないメモリに予め記憶されたＩＤ信号とが一致するか否かの認証処理を行う。ＥＣＵ６６は、両者が一致すれば、正当な携帯機１０ＡからのＩＤ信号であると認証し、運転者によるメインスイッチの操作を許可する。この結果、運転者がメインスイッチをオンにし、且つ、エンジン３０のセルスイッチをオンにすると、当該エンジン３０を始動させることができる。
【００７１】
図８は、上述したアンテナ８２がＩＤ信号の送信又はＩＤ要求信号の受信を行う際の電波１１６の放射パターンを図示したものである。図８では、アンテナ８２が無指向性のアンテナである場合の電波１１６の放射パターンを図示している。
【００７２】
この場合、アンテナ８２から放射される電波１１６は、概ね全方位に伝搬される。但し、アルミニウム製の収容ブロック１０８は、電波１１６の一部を吸収するため、収容ブロック１０８の方向に伝搬する電波１１６は減衰する。図８では、収容ブロック１０８によって電波１１６の一部が減衰している状態を破線で図示している。
【００７３】
なお、アンテナ８２は、図２、図３及び図７に示すように、第２機械式キー７２と重ならないように配置されている。すなわち、第２機械式キー７２は、アンテナ８２から遠ざかるように、バッテリ８０側に寄せた状態で携帯機１０Ａ内に収容されている。そのため、第２機械式キー７２及びバッテリ８０による電波１１６の減衰を回避しつつ、送受信器６８との間での無線による信号の送受信を行うことが可能となる。
【００７４】
次に、上述した第１実施形態に係る携帯機１０Ａの効果について説明する。
【００７５】
第１実施形態に係る携帯機１０Ａによれば、当該携帯機１０Ａの中に、２本の機械式キーである第１機械式キー７０及び第２機械式キー７２を収容するにあたり、矢印Ｘ方向に沿って第１機械式キー７０及び第２機械式キー７２を平行に収容する。これにより、携帯機１０Ａ自体の大きさが必要以上に大きくなることを抑えることができる。
【００７６】
また、携帯機１０Ａの板厚方向である矢印Ｚ方向から見たときに、第１機械式キー７０及び第２機械式キー７２同士が互いに重ならないようにずらして携帯機１０Ａに収容されている。この結果、携帯機１０Ａの板厚をさらに抑えることができる。
【００７７】
この場合、携帯機１０Ａの幅方向であり且つ第１機械式キー７０の板厚方向である矢印Ｙ方向から見たときに、第１機械式キー７０と第２機械式キー７２とが重なるように携帯機１０Ａに収容されている。これにより、携帯機１０Ａの板厚をさらに抑えることができる。
【００７８】
具体的に、携帯機１０Ａでは、当該携帯機１０Ａの板厚方向と板状のバッテリ８０の板厚方向とが矢印Ｚ方向で一致するように、バッテリ８０を収容する。また、第１機械式キー７０は、第１キー部７０ｂの板厚方向が携帯機１０Ａの板厚方向に対して直角の矢印Ｙ方向となるように、第１機械式キー収容部１１０に収容される。この場合、バッテリ８０は、矢印Ｚ方向から見て、第１機械式キー収容部１１０の長さの範囲内で、第１機械式キー７０と重ならない位置にずらして配置される。一方、第２機械式キー７２は、矢印Ｚ方向から見て、バッテリ８０と重なる位置に設けられた第２機械式キー収容部１１４に収容される。そして、第２機械式キー７２及びバッテリ８０は、矢印Ｙ方向から見て、第１機械式キー７０と重なるように配置される。
【００７９】
このように携帯機１０Ａを構成すれば、当該携帯機１０Ａを矢印Ｚ方向にコンパクトに構成することができる。
【００８０】
また、第２機械式キー７２の第２キー部７２ｂの板厚方向とバッテリ８０の板厚方向とを矢印Ｚ方向で一致させることにより、矢印Ｚ方向に沿った携帯機１０Ａの板厚をさらに薄くすることができる。
【００８１】
さらに、第１機械式キー７０よりも短い第２機械式キー７２を、携帯機１０Ａのバッテリ８０側に配置することにより、バッテリ８０や第２機械式キー７２によって妨げられることなく、アンテナ８２の感度を良好に保つことができる。
【００８２】
さらにまた、携帯機１０Ａに対する第１機械式キー７０及び第２機械式キー７２の出し入れ方法について、一方の第１機械式キー７０を着脱不要とし、他方の第２機械式キー７２を着脱要としたので、使用の際に、目視しなくても、どちらの機械式キーであるのかが確認しやすくなる。
【００８３】
しかも、一方の第１機械式キー７０の出し入れを回動方式とし、他方の第２機械式キー７２の出し入れをスライドによる直動方式としたことにより、出し入れの際に、目視しなくても、どちらの機械式キーであるのかを容易に確認することができる。
【００８４】
また、第２機械式キー７２を携帯機１０Ａの中央部分から出し入れし、第１機械式キー７０を携帯機１０Ａの側部から出し入れすることにより、出し入れの際に、目視しなくても、どちらの機械式キーであるのかが一層確認しやすくなる。
【００８５】
さらに、第１機械式キー７０を携帯機１０Ａから分離しなくても使用可能とすることで、携帯機１０Ａのボディを第１機械式キー７０の把持部として利用することができる。これにより、第２キー部７２ｂよりも第１キー部７０ｂが長く、且つ、タンクキャップ７６を開けるための操作力が必要となる第１機械式キー７０に対して、力をかけやすくすることができる。
【００８６】
さらにまた、第１機械式キー７０の第１キー部７０ｂの板厚方向を携帯機１０Ａの板厚方向と異なる向きに設定し、且つ、第２機械式キー７２の第２キー部７２ｂの板厚方向を携帯機１０Ａの板厚方向と同じ向きに設定している。このように、携帯機１０Ａに対して、同じ向きにするものと、違う向きにするものとに分けたので、目視しなくても、どちらの機械式キーであるのかが確認しやすくなる。
【００８７】
なお、第１実施形態に係る携帯機１０Ａでは、図７に示すように、第２機械式キー７２の全体が第１機械式キー７０と重なるように、第１機械式キー７０が第１機械式キー収容部１１０に収容されると共に、第２機械式キー７２が第２機械式キー収容部１１４に収容される場合について説明した。第１実施形態では、第１機械式キー７０及び第２機械式キー７２が、矢印Ｙ方向から見たときに、少なくとも一部同士が重なるように第１機械式キー収容部１１０及び第２機械式キー収容部１１４にそれぞれ収容されていればよい。
【００８８】
また、携帯機１０Ａでは、図７に示すように、第２機械式キー７２及びバッテリ８０が第１機械式キー７０と重なるように配置される場合について説明した。第１実施形態では、第２機械式キー７２及びバッテリ８０のうち少なくとも一方が第１機械式キー７０と重なるように配置されてもよい。さらに、第１実施形態では、第２機械式キー７２の少なくとも一部と、バッテリ８０の少なくとも一部との両方が、第１機械式キー７０と重なっていればよい。
【００８９】
また、携帯機１０Ａでは、図２、図３及び図７に示すように、バッテリ８０及びアンテナ８２の一部が第１機械式キー収容部１１０の長さの範囲内に配置される場合について説明した。第１実施形態では、バッテリ８０の一部と、アンテナ８２の一部とのうち、少なくとも一方が、第１機械式キー収容部１１０の長さの範囲内に配置されていればよい。
【００９０】
次に、第２実施形態に係る携帯機１０Ｂについて、図９及び図１０を参照しながら説明する。なお、携帯機１０Ｂに関して、図１〜図８で説明した第１実施形態に係る携帯機１０Ａと同じ構成要素については、同じ参照符号を付けて説明すると共に、その詳細な説明を省略し、以下同様とする。
【００９１】
第２実施形態に係る携帯機１０Ｂは、第１機械式キー収容部１１０が収容ブロック１０８を矢印Ｘ方向に沿って貫通する貫通孔として形成され、第１機械式キー収容部１１０に収容されている第１機械式キー７０を、矢印Ｘ方向にスライドさせる点で、第１実施形態に係る携帯機１０Ａとは異なる。
【００９２】
すなわち、第１機械式キー７０は、矢印Ｘ方向に沿って略同じ板厚を有する板形状を有する。そのため、運転者が収容ブロック１０８から矢印Ｘ１方向に突出している第１機械式キー７０の一端部である第１把持部７０ａを矢印Ｘ２方向にスライドさせることにより、他端部側の第１キー部７０ｂを収容ブロック１０８から矢印Ｘ１方向に引き出すことができる。従って、第２実施形態では、第１機械式キー収容部１１０に対して第１機械式キー７０を矢印Ｘ方向にスライドさせることにより、第１機械式キー収容部１１０から第１機械式キー７０を出し入れすることができる。
【００９３】
この携帯機１０Ｂにおいても、第１実施形態に係る携帯機１０Ａと同様の効果を得ることができる。なお、第１把持部７０ａ又は第１機械式キー収容部１１０に図示しない係止部を設けることにより、第１機械式キー収容部１１０に対して第１キー部７０ｂを矢印Ｘ２方向に所定量引き出した状態で、第１機械式キー７０を固定保持することができる。
【００９４】
第３実施形態に係る携帯機１０Ｃは、図１１〜図１２Ｂに示すように、携帯機１０Ｃに対して第１機械式キー７０及び第２機械式キー７２が互い違いの方向に抜き取られることにより、携帯機１０Ｃから着脱可能に取り出し可能である点で、図１〜図１０で説明した第１及び第２実施形態に係る携帯機１０Ａ、１０Ｂとは異なる。
【００９５】
この場合、携帯機１０Ｃは、収容ブロック１０８を有していない。そのため、表面側樹脂ケース８６及び背面側樹脂ケース９０の矢印Ｙ２方向側に第１キー部収容溝１１０ｂが設けられると共に、表面側樹脂ケース８６及び背面側樹脂ケース９０の矢印Ｘ２方向側に第１把持部７０ａを収容する段差部１１０ｃが設けられる。すなわち、携帯機１０Ｃにおいて、第１機械式キー収容部１１０は、第１キー部収容溝１１０ｂと段差部１１０ｃとから構成される。
【００９６】
そのため、運転者が第１キー部７０ｂを矢印Ｘ１方向に向けた状態で、第１キー部７０ｂを第１キー部収容溝１１０ｂに挿入することにより、当該第１キー部収容溝１１０ｂに第１キー部７０ｂが収容されると共に、第１把持部７０ａが段差部１１０ｃに収容される。一方、運転者が第１把持部７０ａを持って第１機械式キー７０を矢印Ｘ２方向にスライドさせると、携帯機１０Ｃから第１機械式キー７０を取り出すことができる。なお、第３実施形態において、第１把持部７０ａは、矢印Ｙ方向に延在する比較的大きな形状に構成されており、従って、第１機械式キー７０は、略Ｌ字状に形成されている。
【００９７】
一方、携帯機１０Ｃの矢印Ｘ１方向側に第２機械式キー収容部１１４が設けられる。すなわち、表面側樹脂ケース８６及び背面側樹脂ケース９０の矢印Ｘ１方向側に段差部１１４ａが形成されると共に、段差部１１４ａから表面側樹脂ケース８６の内部に矢印Ｘ２方向に向かって凹部１１４ｂが延在している。この場合、第２機械式キー収容部１１４の中心軸１１８は、携帯機１０Ｃの中心軸７４から距離ｍだけずれている。なお、携帯機１０Ｃでは、中心軸７４に対する第１機械式キー収容部１１０及び第２機械式キー収容部１１４の距離ｍ、ｎは、ｎ＞ｍの関係にある。
【００９８】
従って、運転者が第２キー部７２ｂを矢印Ｘ２方向に向けた状態で、第２キー部７２ｂを凹部１１４ｂに挿入することにより、凹部１１４ｂに第２キー部７２ｂが収容されると共に、第２把持部７２ａが段差部１１４ａに収容される。一方、運転者が第２把持部７２ａを持って第２機械式キー７２を矢印Ｘ１方向にスライドさせると、携帯機１０Ｃから第２機械式キー７２を取り出すことができる。なお、第３実施形態において、第２機械式キー７２は、略Ｔ字状に形成されている。
【００９９】
また、携帯機１０Ｃにおいて、図１１に示すように、バッテリ８０は、凹部１１４ｂと重なり合うように配置される。また、アンテナ８２は、鉄製の第１キー部７０ｂ及び第２キー部７２ｂを避けるように、段差部１１０ｃ近傍に配置される。
【０１００】
この携帯機１０Ｃにおいても、第１及び第２実施形態に係る携帯機１０Ａ、１０Ｂと同じ構成については、同様の効果を得ることができる。また、第１機械式キー７０の第１把持部７０ａと、第２機械式キー７２の第２把持部７２ａとは、携帯機１０Ｃにおいて、互いに反対側に配置されている。これにより、第１把持部７０ａ及び第２把持部７２ａを大きくすることができる。
【０１０１】
以上、本発明について好適な実施形態を用いて説明したが、本発明の技術的範囲は、上記の実施形態の記載範囲に限定されることはない。上記の実施形態に、多様な変更又は改良を加えることが可能であることは、当業者に明らかである。そのような変更又は改良を加えた形態も、本発明の技術的範囲に含まれ得ることが、特許請求の範囲の記載から明らかである。また、特許請求の範囲に記載された括弧書きの符号は、本発明の理解の容易化のために添付図面中の符号に倣って付したものであり、本発明がその符号をつけた要素に限定されて解釈されるものではない。
【符号の説明】
【０１０２】
１０Ａ〜１０Ｃ…携帯機                １２…電子キーシステム
１４…自動二輪車                      ２６…ハンドルバー
４４…燃料タンク                      ６６…ＥＣＵ
６８…送受信器                        ７０…第１機械式キー
７０ａ…第１把持部                    ７０ｂ…第１キー部
７２…第２機械式キー                  ７２ａ…第２把持部
７２ｂ…第２キー部                    ７４…中心軸
７６…タンクキャップ                  ７８…ハンドルロックモジュール
８０…バッテリ                        ８２…アンテナ
８４…電源ボタン                      ８６…表面側樹脂ケース
９０…背面側樹脂ケース                ９２…内部空間
９４、９６…化粧カバー                ９７…挿入口
９８…シール部材                      １００…基板
１０２、１１４ｂ…凹部                １０８…収容ブロック
１１０…第１機械式キー収容部          １１０ａ…第１把持部収容溝
１１０ｂ…第１キー部収容溝            １１０ｃ、１１４ａ…段差部
１１２…回転軸                        １１４…第２機械式キー収容部
１１６…電波
【図１】
2015124485.tif 000003
【図２】
2015124485.tif 000004
【図３】
2015124485.tif 000005
【図４】
2015124485.tif 000006
【図５】
2015124485.tif 000007
【図６】
2015124485.tif 000008
【図７】
2015124485.tif 000009
【図８】
2015124485.tif 000010
【図９】
2015124485.tif 000011
【図１０】
2015124485.tif 000012
【図１１】
2015124485.tif 000013
【図１２】
2015124485.tif 000014